(57)【要約】【課題】ロール紙の繰り出しとその切断とを確実容易となしたロール紙繰り出し切断容器の軽量化を促進するとともに、安価に多量製造可能とすること。【解決手段】上部開放の容器１内のロール紙２を手前に繰り出し、その上から容器開口縁１Ｂに後部枢支の上蓋３を被せ、その前辺下面３Ａと容器前辺１Ａとでロール紙２を挟み、その繰り出し部分２Ａを上蓋前辺刃先４で切断可能となしたロール紙繰り出し切断容器を作るに当たり、容器後面板１Ｃに上蓋後縁３Ｃと係合する閉蓋弾圧弾片６を突設し、この弾片６の前記上蓋後縁３Ｃに対する上向き弾撥力でロール紙切断力による閉蓋上蓋３の浮上を阻止し、かつ上蓋前辺下面３Ａと容器前辺１Ａとでロール紙２を千切らずに繰り出せる程度に弾圧して制動することで、容器内ロール紙の反転によるロール紙繰り出し部分２Ａの容器内引き込みを阻止し、ロール紙摘み代２Ｂを確保可能とした。【選択図】  図１
2004237017.tif 000002
【特許請求の範囲】
【請求項１】
上部開放の容器１内に収納したロール紙２を手前に繰り出し、その上から容器開口縁１Ｂに後部枢支の上蓋３を被せ、その前辺下面３Ａと容器前辺１Ａとでロール紙２を挟み、その繰り出し部分２Ａを上蓋前辺刃先４で切断可能となしたロール紙繰り出し切断容器において、前記容器１の後面板１Ｃに前記上蓋３の枢支部３Ｂを経た上蓋後縁３Ｃに係合する閉蓋弾圧弾片６を突設し、この弾片６の前記上蓋後縁３Ｃに対する上向き弾撥力でロール紙切断力による閉蓋上蓋３の浮上を阻止し、かつ上蓋前辺下面３Ａと容器前辺１Ａとでロール紙２を千切らずに繰り出せる程度に弾圧して制動することで、容器内ロール紙の反転によるロール紙繰り出し部分２Ａの容器内引き込みを阻止し、ロール紙摘み代２Ｂを確保してなるロール紙繰り出し切断容器。
【請求項２】
上部開放の容器１内に収納したロール紙２を手前に繰り出し、その上から容器開口縁１Ｂに後部枢支の上蓋３を被せ、その前辺下面３Ａと容器前辺１Ａとでロール紙２を挟み、その繰り出し部分２Ａを上蓋前辺刃先４で切断できるロール紙繰り出し切断容器において、前記容器１の後面板１Ｃの係止孔縁１Ｄに前記上蓋３の枢支部３Ｂを経た上蓋後縁３Ｃに係合する閉蓋弾圧弾片６を一体突設した弾性プラスチック製の弾片突設部材７をその係止鉤片７Ａで取着し、前記閉蓋弾圧弾片６の前記上蓋後縁３Ｃに対する上向き弾撥力でロール紙切断力による閉蓋上蓋３の浮上を阻止し、かつ上蓋前辺下面３Ａと容器前辺１Ａとでロール紙２を千切らずに繰り出せる程度に弾圧して制動することで、容器内ロール紙の反転によるロール紙繰り出し部分２Ａの容器内引き込みを阻止し、ロール紙摘み代２Ｂを確保してなるロール紙繰り出し切断容器。
【請求項３】
前記上蓋３の開蓋状態を保持するための開蓋保持部を前記容器１および上蓋３の各対向部分に具備してなる請求項１または請求項２に記載のロール紙繰り出し切断容器。
【発明の詳細な説明】
【０００１】
【発明の属する技術分野】
この発明は、ロール紙または、ロール巻きシートやフィルムなどを投げ込み式に収納でき、これらを繰り出して切断できるロール紙繰り出し切断容器に係り、特に本発明では、上記容器の軽量化を促進するとともに、ロール紙の繰り出しと、その切断とを確実容易になし得たロール紙繰り出し切断容器に関する。
【０００２】
【従来の技術】
従来の投げ込み収納式のロール紙繰り出し切断容器としては、特開平８−１９６４６７号公報や実開平５−８２３９３号公報記載のものなどが周知である。
これらの各従来の技術は、いずれも、後面を壁面などに定着設置して使用する上部開放の投げ込み収納式の容器内にロール紙を投げ込んで収納した後、その繰り出し部分を容器前辺から手前に繰り出し定位するとともに、前記容器の後部で枢支した上蓋をその自重または、錘付き上蓋の重力で容器開口縁に被せ、この上蓋下部と容器前辺とでロール紙繰り出し部分を挟み付けて制動することで、容器内ロール紙の反転によるロール紙繰り出し部分の容器内引き込みを阻止するとともに、この繰り出し部分を容器または、上蓋の前辺に横設した刃先でカットできるとしたロール紙繰り出し切断容器である。
【０００３】
【発明が解決しようとする課題】
これら各従来例を初めとして従来の投げ込み収納式のロール紙繰り出し切断容器の多くは、一般に前記容器の後部で枢支した上蓋をその自重、または錘の重力で容器の開口縁に被せて前記のように上蓋下部と容器前辺とでロール紙繰り出し部分を挟み付けて制動することで、容器内ロール紙の反転によるロール紙繰り出し部分の容器内引き込みを阻止するとともに、ロール紙切断時に閉蓋状態にある上蓋を妄りに動かなくするものだから、上蓋自体や上記錘をそれぞれ重くする必要があり、ロール紙繰り出し切断容器全体としてもかなりの重量物となるため、その製造・運搬・保管・販売・購入・使用のすべての面で扱い辛く不便で面倒であるし、価格的にも不利であるというう本質的かつ、大きな問題点が有る。
【０００４】
他の従来例として、実開昭６１−１０９３９０号公報記載のように、ロール紙繰り出し部分をカットする容器前辺の反対側の後部外方に上蓋を大きく回動させて開蓋する卓上タイプのものも有るが、この従来例は容器後面をトイレ壁面などに定着設置しようとすると上蓋が開かなくなるので、容器後面を壁面に定着して使用するには、この従来例公報第５図とその説明のように、容器上蓋を容器本体から分離できる着脱式の被せ蓋とする必要があり、この被せ蓋は分離紛失し易いし、その保管や取り扱いも面倒で厄介であるだけでなく、上蓋を重くしないとロール紙繰り出し時にその擦過摩擦で上蓋が跳ね上がったり、折角のロール紙繰り出し撮み代が容器内に引き込まれてしまうことも有るため、この従来例でも前記各従来例と同様にロール紙繰り出し切断容器全体としてかなりの重量物となり、その製造・管理・運搬・保管・販売・購入・使用のすべての面で扱い辛く不便で面倒であるという本質的かつ、大きな問題点が有る。
【０００５】
この発明は、上記多くの問題点をすべて解決するために、ロール紙または、これに近似したロール巻きシートやフィルムなどを投げ込み収納できるロール紙繰り出し切断容器の軽量化を促進するとともに、容器に対するロール紙の繰り出しおよびその切断を確実容易に実行可能となしたロール紙繰り出し切断容器を安価に多量製造可能とすることを目的とする。
【０００６】
【課題を解決するための手段】
上記した本発明の目的は、上部開放の容器内に収納したロール紙を容器前辺から手前に繰り出し、その上から容器開口縁に後部枢支の上蓋を被せ、その前辺下面と容器前辺とでロール紙を挟み、その繰り出し部分を上蓋の前辺刃先で切断可能となしたロール紙繰り出し切断容器を構成するに当たり、前記容器の後面板に前記上蓋の枢支部を経た上蓋後縁に係合する閉蓋弾圧弾片を突設し、この弾片の前記上蓋後縁に対する上向き弾撥力でロール紙切断力による閉蓋上蓋の浮上を阻止し、かつ上蓋前辺下面と容器前辺とでロール紙を千切らずに繰り出せる程度に弾圧制動することで、容器内ロール紙の反転によるロール紙繰り出し部分の容器内引き込みを阻止し、ロール紙摘み代を確保可能としたことで達成できた。
【０００７】
【発明の実施の形態】
本発明の実施の形態例について図面を参照して説明する。
この発明の基本的な実施形態の一例としては、図１のようにトイレの壁面などに定着設置して使用する金属やプラスチックなどで側面ほぼ円形に作った上部開放の容器１内にロール紙２を図４のように例えば投げ込み式に収納してこの繰り出し部分２Ａを手前に繰り出し同図４のように定位するとともに、その上から容器開口縁１Ｂに金属やプラスチックなどで側面ほぼ弧形に作った上蓋３をその後部両側における枢支部３Ｂを支点として図２および図３のように被せ、前記繰り出し部分２Ａを上蓋前辺刃先４で図２のように切断可能となしたロール紙繰り出し切断容器を構成するに当たり、本発明では先ず、前記容器１の後面板１Ｃに前記上蓋枢支部３Ｂを経た上蓋後縁３Ｃに係合してこれを手前斜め上向きに弾撥する前下がり斜面６Ａ付きの閉蓋弾圧弾片６を一体成形した強弾性プラスチックなどで作った弾片突設部材７を図５のように用意する。
【０００８】
そして、前記弾片突設部材７に突設した係止鉤片７Ａを図６の矢示のように容器後面板１Ｃの係止孔縁１Ｄに宛がいつつその固有弾力に抗して係入後、この係止孔縁１Ｄに前記係止鉤片７Ａをその弾力により、パチンと一発係止させることで、容器後面板１Ｃに前記弾片突設部材７を図７のように定着し、前記閉蓋弾圧弾片６を図３および図４のように容器１の後面板１Ｃに前向きに突設することができ、この弾片６の前記上蓋後縁３Ｃに対する上向き弾撥力で上蓋３の前辺下面３Ａ（または、この下面に突設した縦リブ３Ｄ）を容器前辺１Ａにロール紙繰り出し部分２Ａを挟んで図３および図９のように容器前辺１Ａの上面に弾圧させることで、上蓋３の弾圧閉蓋状態となるように構成する。
【０００９】
この弾圧閉蓋強度、すなわち前記閉蓋弾圧弾片６の前下がり斜面６Ａまたは手前斜め上に弾撥する弾片６自体による上蓋後縁３Ｃに対する上向き弾圧強度は、前記上蓋前辺刃先４に上向きに加わるロール紙切断力では閉蓋上蓋３を浮上させず、上蓋前辺下面３Ａ（または、縦リブ３Ｄの下面）と容器前辺１Ａとで繰り出し途中のロール紙２を千切らずに繰り出せる程度に弾圧して容器内ロール紙の反転によるロール紙繰り出し部分２Ａの容器内引き込みを阻止できる程度の制動強度に設定することで、閉蓋上蓋３に上向きに加わるロール紙切断力では上蓋３を妄りに浮上させずにロール紙２を図２のように確実に片手切断でき、しかもロール紙切断直後における容器内ロール紙の反転によるロール紙繰り出し部分２Ａの容器内引き込みを阻止して次回使用のための肝心のロール紙摘み代２Ｂを図３のように常に確保できる本発明によるロール紙繰り出し切断容器を構成できた。
【００１０】
本発明の全体的な構成は以上のようなもので、以下本発明におけるロール紙繰り出し切断容器の実際的な使用動作例について説明する。
先ず、図４ような上蓋開蓋状態にある容器１内にロール紙２を例えば投げ込み式に収納し、その繰り出し部分２Ａを同図鎖線のように繰り出し定位した後、容器開口縁１Ｂの後部に枢支部３Ｂで枢支した開蓋状態にある上蓋３を下向きに閉じ始め、これが閉じ終わる直前になると、テコの原理で上向きに回動しつつある上蓋後縁３Ｃに閉蓋弾圧弾片６の前下がり斜面６Ａまたは、手前斜め上向きに弾撥する弾片６自体が図８の矢示方向に向かう順序を経て弾接係合し、上蓋後縁３Ｃを押し上げ、テコの原理で上蓋３を閉じる向きに弾圧することができ、図２および図３のように上蓋３を容器開口縁１Ｂに被せ終えることができる。
【００１１】
この被せ終えた上蓋３の後縁３Ｃには、閉蓋弾圧弾片６の前下がり斜面６Ａまたは、手前斜め上に弾撥する弾片６自体によるかなり強い閉蓋弾撥力が引き続き加わっているため、枢支部３Ｂを経た上蓋３は、その自重による閉蓋力と上記閉蓋弾撥力とにより、上蓋前辺下面３Ａ（または、縦リブ３Ｄの下面）と容器前辺１Ａの上面とで、図３および図９のように繰り出し途中のロール紙２が千切れない程度に挟み付けて弾圧制動できるとともに、上蓋３に上向きに加わるロール紙切断力では閉蓋上蓋３を浮上させず、かつ、切断後の容器内ロール紙反転による容器外ロール紙繰り出し部分２Ａの容器内引き込みを図２および図３のように阻止し、ロール紙摘み代２Ｂを確保できる程度にそれぞれ前記上蓋３を弾圧閉蓋維持でき、前記ロール紙繰り出し部分２Ａの切断時に前記上蓋３を手で押さえなくてもその前辺刃先４で上記図２のようにロール紙２を片手で無造作に切断して使用でき、この切断後には上記のように容器内ロール紙反転による前記繰り出し部分２Ａの容器内引き込みを阻止することができ、図３のように上記前辺刃先４の下部にロール紙２の次回使用のためのロール紙摘み代２Ｂがてきている。
【００１２】
その後、容器１内に収納したロール紙２を図９のように使い終え、使用済のロール紙芯管２Ｃを容器１内から取り除き、新しいロール紙２を容器１内に投げ込み収納するには、同図９のような閉蓋状態にある上蓋３をその自重および前記閉蓋弾圧弾片６の弾力にそれぞれ抗し、手指などで図８の矢示と反対方向の順序を経て開けることで、図１および図４のようにほぼ直立に開蓋することができ、容器１内の空の芯管２Ｃを取り出し、新しいロール紙２と交換でき、その繰り出し部分２Ａを前記のように繰り出し定位した後、容器開口縁１Ｂに上蓋３を前記図３のように被せることで、上記新しいロール紙２を前記と同様に使用できる。
【００１３】
【実施例】
本発明に用いる閉蓋弾圧弾片６の突設手段は、前記の突設手段以外に例えば上記弾片６をゼンマイ鋼などの強弾性材で作り、これを容器後面板１Ｃの内面にねじ止めや接着とかインサート成形などの固定手段で突設してもよく、また、上記弾片６を例えばプラスチック容器１の成形時に容器後面板１Ｃに一体的に成形したり、閉蓋弾圧弾片６を強弾性プラスチック材により容器１の成形時に同一金型内で所謂二色一体成形して突設してもよく、さらに上記弾片６を一体突設した弾片突設部材７は、容器後面板１Ｃにねじ止めや接着などで定着することで、上記弾片６を容器後面板１Ｃに突設してもよい。
【００１４】
なお、前述した開蓋状態にある上蓋３が妄りに倒れないようにするには、上蓋３の開蓋状態を保持するための突片や雌雄係合部などの周知の開蓋保持部を前記容器１および上蓋３の各対向部分に具備することで可能となった。
また、前記容器１と上蓋３との側面形状をそれぞれほぼ円形およびほぼ弧形とすることで、より一層小型軽量かつ、スマートなロール紙繰り出し切断容器となるし、さらに前記上蓋３の前辺下面３Ａに前記ロール紙２の周方向に沿わせて複数の縦リブ３Ｄを並列突設することで、ロール紙２の繰り出し部分２Ａの弾圧部分がスポット的に分散するため、ロール紙２の繰り出し案内のスムース化と、その千切れ防止とがそれぞれより一層確実になったし、前記上蓋前辺刃先４としては、ポリエステル・エラストマなどの柔軟で表面摩擦が大きい可撓弾性プラスチックで櫛歯状に射出成形した柔軟な刃先板を取着して用いてもよい。
【００１５】
【発明の効果】
本発明における請求項１の発明によれば、上部開放の容器１内に収納したロール紙２を手前に繰り出し、その上から容器開口縁１Ｂに後部枢支の上蓋３を被せ、その前辺下面３Ａと容器前辺１Ａとでロール紙２を挟み、その繰り出し部分２Ａを上蓋前辺刃先４で切断可能となしたロール紙繰り出し切断容器を作るに当たり、前記容器１の後面板１Ｃに前記上蓋３の枢支部３Ｂを経た上蓋後縁３Ｃに係合する閉蓋弾圧弾片６を突設し、この弾片６の前記上蓋後縁３Ｃに対する上向き弾撥力でロール紙切断力による閉蓋上蓋３の浮上を阻止し、かつ上蓋前辺下面３Ａと容器前辺１Ａとでロール紙２を千切らずに繰り出せる程度に弾圧して制動することで、切断後の容器内ロール紙反転による容器外ロール紙繰り出し部分２Ａの容器内引き込みを阻止してロール紙摘み代２Ｂを常に確保できた。
【００１６】
したがって、本発明における請求項１の発明によれば、軽い上蓋３を用いても、前記閉蓋弾圧弾片６の弾撥力により、上蓋３を妄りに浮上させないでロール紙２を無造作に片手で繰り出し切断でき、しかもロール紙切断後における肝心のロール紙摘み代２Ｂを常に確保できる全体的に軽量のロール紙繰り出し切断容器を実現できたから、重い上蓋や錘付きの上蓋を用いた前記各従来例に比べ、本発明によるロール紙繰り出し切断容器は、その製造・管理・運搬・保管・販売・購入・使用のすべての面で前記各従来例よりも格段に優れ、価格的にも有利になったという効果が有るし、特にこの発明では、閉蓋弾圧弾片６を容器１の後部に設けたので、容器１内にはロール紙２の収納や繰り出しを邪魔するものが皆無であり、容器内外が極めてスッキリした感じのスマートで使い勝手のよいロール紙繰り出し切断容器を安価に多量製造できたという多くの優れた効果が有る。
【００１７】
本発明における請求項２の発明によれば、前記諸効果に加え、前記閉蓋弾圧弾片６を一体的に突設した弾性プラスチック製の弾片突設部材７をその係止鉤片７Ａで容器後面板１Ｃの係止孔縁１Ｄにパチンと一発係合させて係止定着したのて、容器後面板１Ｃに対する閉蓋弾圧弾片６の取り付け作業性を一段と高め得たという効果を付加できたし、また本発明おける請求項３の発明のように、前記上蓋３の開蓋状態を保持するための開蓋保持部を前記容器１および上蓋３の各対向部分に具備したことで、開蓋状態にある上蓋３は妄りに倒れず、ロール紙交換をより一層安全に実行できるという効果を付加できた。
【図面の簡単な説明】
【図１】本発明によるロール紙繰り出し切断容器の開蓋状態の例を示す斜視図
【図２】本発明によるロール紙繰り出し切断容器の使用状態を示す斜視図
【図３】本発明によるロール紙繰り出し切断容器の使用状態を示す縦断側面図
【図４】図３に示すものと状態を異にした縦断側面図
【図５】図１に示すものの要部切欠斜視図
【図６】本発明における容器後部に弾片突設部材を取着する途中を示す斜視図
【図７】図１に示すものの後部を示す斜視図
【図８】本発明における上蓋と閉蓋弾圧弾片との関係を示す要部拡大断面図
【図９】図３に示すものと状態を異にした縦断側面図
【符号の説明】
１    ロール紙収納容器
１Ａ  容器前辺
１Ｂ  容器開口縁
１Ｃ  容器後面板
１Ｄ  容器後面板の係止孔縁
２    ロール紙
２Ａ  ロール紙繰り出し部分
２Ｂ  ロール紙摘み代
２Ｃ  ロール紙芯管
３    上蓋
３Ａ  上蓋前辺下面
３Ｂ  上蓋枢支部
３Ｃ  上蓋後縁
３Ｄ  上蓋前辺下面の縦リブ
４    上蓋の前辺刃先
６    閉蓋弾圧弾片
６Ａ  閉蓋弾圧弾片の前下がり斜面
７    弾片突設部材
７Ａ  弾片突設部材の係止鉤片
【図１】
2004237017.tif 000003
【図２】
2004237017.tif 000004
【図３】
2004237017.tif 000005
【図４】
2004237017.tif 000006
【図５】
2004237017.tif 000007
【図６】
2004237017.tif 000008
【図７】
2004237017.tif 000009
【図８】
2004237017.tif 000010
【図９】
2004237017.tif 000011